(57)【要約】システム、方法及び装置は、テレビジョン信号受信機内サンドキャッスル信号を発生し、そしてテレビジョン信号処理中にサンドキャッスル信号を使用する。１つの形式では、サンドキャッスル信号は、テレビジョン信号受信機の偏向帰線信号からテレビジョン信号の分離された同期信号を減算することにより発生される。他の形式では、サンドキャッスル信号は、テレビジョン信号受信機内で、発生され、そして、水平フライバックパルス、垂直帰線パルス、又は、水平フライバックパルスと垂直帰線パルスの和により形成されたコンポジットパルスから、分離された同期パルスを、減算することを含む。サンドキャッスル信号は、チャネル変更中のような、テレビジョン信号受信機（９０）の機能中に、テレビジョン信号受信機（９０）により使用されうる。
2004502351.tif 000002
【特許請求の範囲】
【請求項１】
サンドキャッスル信号を発生する装置であって、
減衰された偏向帰線信号を供給するように動作する回路と、
分離された同期信号を供給するように動作する回路と、
減衰された偏向信号から、分離された同期信号の一部を減算してサンドキャッスル信号を発生するように動作する回路とを有する、装置。
【請求項２】
減衰された偏向帰線信号は、水平フライバック信号を含む、請求項１に記載の装置。
【請求項３】
減衰された偏向帰線信号は、垂直偏向帰線信号を含む、請求項１に記載の装置。
【請求項４】
減衰された偏向帰線信号は、水平フライバック信号と垂直帰線信号とを含む、請求項１に記載の装置。
【請求項５】
更に、
信号処理回路と、
装置の機能の実行中に、発生されたサンドキャッスル信号を、信号処理回路に供給するように動作する制御回路とを有する、請求項１に記載の装置。
【請求項６】
装置は、テレビジョン信号受信機を含み、且つ、装置の機能は、テレビジョン信号受信機に関連する機能を含む、請求項５に記載の装置。
【請求項７】
テレビジョン信号受信機に関連する機能は、チャネルを変更することを含む、請求項６に記載の装置。
【請求項８】
テレビジョン信号受信機内でサンドキャッスル信号を発生する方法であって、
テレビジョン信号から得られる減衰された偏向帰線信号を発生するステップと、
テレビジョン信号から得られる分離された同期信号を供給するステップと、
減衰された偏向帰線信号から、分離された同期信号の一部を減算して、サンドキャッスル信号を発生するステップと、を有する方法。
【請求項９】
減衰された偏向帰線信号を発生するステップは、水平フライバック信号を発生することを含む、請求項８に記載の方法。
【請求項１０】
減衰された偏向帰線信号を発生するステップは、垂直帰線パルスを発生することを含む、請求項８に記載の方法。
【請求項１１】
減衰された偏向帰線信号を発生するステップは、水平フライバック信号と垂直帰線信号を加算することを含む、請求項８に記載の方法。
【請求項１２】
更に、
テレビジョン信号受信機の機能の実行中に、テレビジョン信号受信機の信号処理回路へ、結果のサンドキャッスル信号を供給するステップを有する、請求項８に記載の方法。
【請求項１３】
機能は、チャネルを変更することを含む、請求項１２に記載の方法。
【請求項１４】
テレビジョン信号受信機であって、
減衰された偏向信号を供給する手段と、
分離された同期信号を供給する手段と、
減衰された偏向信号から、分離された同期信号の一部を減算してサンドキャッスル信号を発生する手段とを有する、テレビジョン信号受信機。
【請求項１５】
減衰された偏向帰線信号を供給する手段は、水平フライバック信号を供給する手段を含む、請求項１４に記載のテレビジョン信号受信機。
【請求項１６】
減衰された偏向帰線信号を供給する手段は、垂直偏向帰線信号を供給する手段を含む、請求項１４に記載のテレビジョン信号受信機。
【請求項１７】
減衰された偏向帰線信号を供給する手段は、水平フライバック信号と垂直帰線信号を供給する手段を含む、請求項１４に記載のテレビジョン信号受信機。
【請求項１８】
更に、
テレビジョン信号を処理する手段と、
テレビジョン信号受信機の機能の実行中に、発生されたサンドキャッスル信号を、テレビジョン信号を処理する手段へ供給する手段とを有する、請求項１４に記載のテレビジョン信号受信機。
【請求項１９】
テレビジョン信号受信機の機能は、チャネルを変更することを含む、請求項１８に記載のテレビジョン信号受信機。
【発明の詳細な説明】
【０００１】
発明の背景
１．発明の分野
本発明は、テレビジョン信号処理に関連し、特に、テレビジョン信号処理のための信号の発生と使用に関連する。
【０００２】
２．関連技術の説明
今日のテレビジョンと他の形式のテレビジョン信号処理装置は、テレビジョン信号の必要な処理を提供する、種々の集積回路、回路及又は、論理を使用する。アナログとディジタルテレビジョン信号の両方は、テレビジョン信号の受信から、テレビジョン／テレビジョン信号処理装置に関連する表示装置への最終的な表示及びオーディオ出力又は再生への、かなり広範囲な処理必要とする。そのような広範囲の処理は、典型的には、そのような処理を達成するための、広範囲の回路及び／又は論理に関連する。民生用電子エンジニアリングで一般的なだけでなく、テレビジョンエンジニアリングでの現在の一般的な慣例は、処理機能を、統合することである。これは、そのような処理回路／論理のために必要な空間を減少させる優位点を有する。回路／論理のための空間を減少させることは、多くの理由について望ましい結果である。
【０００３】
信号処理に関しては、テレビジョン信号の処理中に、処理回路により、種々の信号が使用され及び／又は発生される。そのような１つの発生された信号は、サンドキャッスル信号である。サンドキャッスル信号は、テレビジョン信号処理、特にアナログテレビジョン信号処理で典型的には使用される、タイミングと制御信号の組み合わされた信号である。従来のサンドキャッスル信号は、図１に示されているように、それを参照し、異なるレベル又は電圧のパルスの組み合わせを含む。
【０００４】
図１では、一般的に１０で指定されている典型的なサンドキャッスル信号は、一般的に２０で指定されている、テレビジョン信号の水平ビデオ信号と関連するタイミングで示されている。サンドキャッスル信号１０は、第１の所定の時間期間の且つ第１の所定の電圧の第１のパルス又は部分１２、第２の所定の時間期間の且つ第２の所定の電圧の第２のパルス又は部分１４、及び、第３の所定の時間期間の且つ第３の所定の電圧の第３のパルス又は部分１６を含む。サンドキャッスル信号１０は、水平ビデオ信号２０のブランキング期間２２中に供給される。このように、パルス又は部分１２，１４及び１６は、サンドキャッスル信号１０を含みそして、ブランキング期間２２中に供給される。
【０００５】
比較のために、水平ビデオ信号２０はブランキング期間２２を有し、その期間に、カラーバーストデータのカラーバースト区間２６が設けられる。ブランキング区間２２の後に、ビデオ信号２０は、処理のためのビデオデータが供給されるアクティブ走査区間２４を有する。
【０００６】
区間１８中には、サンドキャッスル信号は、ブランキング及びキーイングしきい値よりも低い。従って、サンドキャッスルは、垂直フィールド又はフレームの各水平ライン中に、新たな期間で繰返す。同様に、サンドキャッスル信号は、垂直ブランキング区間を含み、サンドキャッスル信号のレベルは垂直ブランキング中は中間レベルに保持される。
【０００７】
示されているサンドキャッスル信号は、輝度及びクロミナンス出力信号の、水平及び垂直帰線ブランキング、ブラックストレッチ負ピーク検出器のディスエーブル、自動カラー制御（ＡＣＣ）内のカラーバースト信号のサンプリング、及びクロマサブキャリア再発生器（カラーＰＬＬ（位相ロックループ））及び輝度バックポーチクランプのキーイング（クランプキー）を制御するのに使用される。これらの機能は、図２にブロック形式で示されている。
【０００８】
図２は、サンドキャッスル信号１０の使用のブロック図を示す。サンドキャッスル信号１０は、第１の比較器３２の正（＋）入力と、第２の比較器３４の正入力に送られる。比較器３２の負（−）入力は、第１の電池３６ａに接続されることにより、ハイ状態（論理レベル１）に維持される。比較器３４の負（−）入力は、第２の電池３６ｂに接続されることにより、ハイ状態（論理レベル１）に維持される。
【０００９】
比較器３２は、第１の出力３８ａと第２の出力３８ｂに分割される、出力３８を有する。第１の出力３８ａは、処理回路の、バースト−ゲート回路／論理、ＡＣＣ部分、及び、クロマＰＬＬ部分と、通信する。比較器３４は、輝度出力とブラックストレッチ負ピーク検出器をディスエーブルする、出力４０を有する。
【００１０】
サンドキャッスル信号又はパルス１０を発生し且つ使用する従来の方法が、ブロック図により、５０で指定された、テレビジョン信号処理回路／論理を示す、図３に示されており、これを参照する。テレビジョン信号処理回路／論理５０は、どのような形式の民生電子装置にも、特に、テレビジョン信号処理装置及び、更に特に、統合されたディスプレイを有する又は有しないテレビジョンに、使用されることが可能である。テレビジョン信号処理回路／論理５０は、サンドキャッスル発生回路／論理部分（発生器）５１及び、ビデオ処理回路／論理部分７０を有する。
【００１１】
サンドキャッスル発生器５１は、水平フライバックパルス又は信号を受信し、そして、水平ブランキングパルスを発生し、垂直帰線パルス又は信号を受信し、そして、垂直ブランキングパルスを発生し、そして、コンポジットビデオと同期パルス又は信号を受信し、そして、バースト−ゲート／クランプ−キー信号を発生するように動作する。各入力パルス又は信号は、示されていない、処理回路／論理５０の、他の適切な回路／論理から受信される。
【００１２】
水平フライバックパルスは、入力信号を適切に処理しそして出力信号をタイミング／制御回路／論理５４に供給し、それにより、水平ブランキングパルスを発生する、信号クリッパー回路／論理５２に受信される。垂直帰線パルスは、入力信号を適切に処理しそして出力信号を垂直発振器５８に供給する、信号クリッパー５６により受信される。垂直発振器５８からの混合された信号は、垂直走査信号と、タイミング／制御回路／論理６０へ出力信号を供給し、それにより、垂直ブランキングパルスを発生する。コンポジットビデオと同期パルスは、コンポジットビデオと同期パルスを適切に処理しそして、水平位相ロックループ（ＰＬＬ）６４に出力信号を供給する、同期分離器６２に入力される。水平ＰＬＬ６４は、出力信号だけでなく、タイミング／制御回路／論理６６に供給される水平走査信号が発生されるように、クリッパー５２からの出力信号も受信する。タイミング／制御回路／論理６６は、同期分離器出力も受信し、これは、水平ＰＬＬ出力信号共に、バースト−ゲート／クランプ−キー信号を供給する。水平ブランキングパルス、垂直ブランキングパルス及びバースト−ゲート／クランプ−キー信号は、総和回路／論理６８内で合計され、サンドキャッスル（図３では”Ｓ．Ｃ．”）信号である、出力信号を発生する。
【００１３】
ビデオ処理回路／論理７０は、コンポジットビデオ及び同期信号を受信し、そして、輝度／クロマ分離フィルタ回路／論理７２内で信号を処理する。輝度／クロマ分離フィルタ回路／論理７２出力信号の輝度部分は、輝度処理回路／論理７４に入力され、ここれは、クランプ−キー信号とブランキング信号と共に、輝度処理された出力信号を供給する。輝度／クロマ分離フィルタ回路／論理７２の出力信号のクロマ部分は、クロマ処理回路／論理７８とカラーＰＬＬ回路／論理８０に入力され、これは、バースト−ゲート信号とともに、クロマ処理された出力信号を供給する。加算又は混合回路／論理７６は、輝度処理された出力信号と、クロマ処理された出力信号を、受信し、これは、ブランキング信号と共に、Ｒ、Ｇ、Ｂビデオ出力信号を供給する。
【００１４】
上述したものに関しては、種々の意図しない問題又は結果が、民生用電子装置内で発生する可能性がある。これらの、意図しない問題は、装置が使用中のときのみ明らかになる。幾つかのテレビジョン受像機で発生するそのような問題の１つは、チャネル変更時の明るいフラッシュである。典型的には、これらのテレビジョンは、ディスプレイのためのビデオクランプの位置を示す（ビデオクランピング回路）ために、減衰されたフライバック電圧を使用するアナログテレビジョン信号を処理するように動作する。ビデオクランプは、アナログテレビジョン信号の黒レベルを、一定のＤＣ電圧に設定する。これは、クランピングに関連するブランキングバーが、水平偏向帰線中であるようになされる。フライバックは、チャネル変更後に、ビデオが再び現れる後に、クランプパルスとして残る。アナログテレビジョン信号のシンクチップは、そして、クランプされる。標準サンドキャッスルがスイッチインされると、クランピングはシンクチップからアナログテレビジョン信号の同期信号部分のバックポーチに移動する。知覚される遅延は、典型的には、ブラックストレッチの特徴による。従って、チャネル変更の間にテレビジョンディスプレイで発生するフラッシュを減少させ及び／又は除去することが望ましい。もちろん、テレビジョン信号処理中に、及び／又は、テレビジョン処理回路／論理を有するテレビジョン信号受信機の種々の機能中に、生じうる、先に詳細に説明したものに加えて、他の望ましくない効果を、減少させ及び／又は除去することが望ましい。
【００１５】
発明の概要
本発明の特徴に従って、特にテレビジョン信号受信機内で使用する、サンドキャッスル信号を発生する、システム、方法及び、装置が、提供される。
【００１６】
１つの形式では、サンドキャッスル信号を発生する装置が提供される。この装置は、減衰された偏向帰線信号を供給するように動作する回路と、分離された同期信号を供給するように動作する回路と、減衰された偏向信号から、分離された同期信号の一部を減算してサンドキャッスル信号を発生するように動作する回路とを有する。
【００１７】
本発明の他の形式では、テレビジョン信号受信機内で、サンドキャッスル信号を発生する方法が、提供される。この方法は、（ａ）テレビジョン信号から得られる減衰された偏向帰線信号を発生するステップと、（ｂ）テレビジョン信号から得られる分離された同期信号を供給するステップと、（ｃ）減衰された偏向帰線信号から、分離された同期信号の一部を減算して、サンドキャッスル信号を発生するステップとを有する。
【００１８】
更に、本発明の他の形式では、テレビジョン信号受信機が供給される。テレビジョン信号受信機は、減衰された偏向信号を供給する手段と、分離された同期信号を供給する手段と、減衰された偏向信号から、分離された同期信号の一部を減算してサンドキャッスル信号を発生する手段とを有する。
【００１９】
減衰された偏向信号は、水平フライバック信号、垂直偏向帰線信号、又は、水平フライバック信号と垂直偏向帰線信号の組合せでもよい。発生されたフライバック信号は、テレビジョン信号受信機の機能中に供給されうる。
【００２０】
本発明の他の特徴に従って、アナログテレビジョン信号プロセッサが、チャネル変更のときのような、特に、テレビジョンに関連する機能を実行している時間期間中に、アナログテレビジョン信号プロセッサ内で、クランピングパルスの少なくとも一部分を選択的に抑圧するシステム、装置及び方法が提供される。
【００２１】
特に、１つの形式では、チャネル変更のような、テレビジョン信号プロセッサに関連する機能の実行中に、クランピングパルスの少なくとも一部の電圧を下げるために、テレビジョン信号プロセッサのクランピング回路のクランプキー入力に、信号が供給される。クランピングパルスの結果の電圧レベル（ノッチ）は、クランピング回路のクランプしきい値以下である。更に加えて、結果の電圧レベルは、テレビジョン信号プロセッサのブラックストレッチ検出器無効しきい値以上である。従って、クランプは、同期化中にクランプがディスエーブルされ、一方、ブラックストレッチ検出器は、無効にされない。テレビジョン信号プロセッサに関連する機能は、チャネル変更である場合には、これは、チャネル変更中の表示フラッシュの減少、抑圧及び／又は除去となる。
【００２２】
本発明の上述の及び他の特徴及び、それらを達成する方法は、添付の図面とともに、種々の形式の本発明の実施例の以下の説明を参照することにより、更に明らかになり且つ本発明はより理解されよう。
【００２３】
対応する参照記号は、幾つかの図を通して対応する部分を示す。
【００２４】
発明の詳細な説明
特に図４の図面を参照し、例示的なテレビジョン信号処理装置、特に、本発明が発生され及び／又は使用される、一般的に９０で示された、テレビジョン信号受信機及び、オーディオ／ビジュアル表示システム、が示されている。システム９０は、テレビジョン信号受信機、プロセッサ又は、処理装置９２、テレビジョン信号受信機９２に統合されうる又はされないディスプレイ１０６、及び、テレビジョン信号受信機９２に統合されうる又はされないスピーカ又は複数のスピーカ１０８を有する。テレビジョン信号受信機９２は、テレビジョン、セットトップボックス（例えば、ケーブルボックス、衛星ボックス又は、同様なもの）、テレビジョン信号レコーダ（例えば、ＶＣＲ，ＶＴＲ又は、同様なもの）又は、特にアナログテレビジョン信号の、テレビジョン信号を受信し且つ利用できる他の装置、でもよい。
【００２５】
テレビジョン信号受信機９２は、地上波テレビジョン信号アンテナ、衛星受信機、ケーブルテレビジョンシステム又は、同様な、（図示していない）テレビジョン信号源と接続された又は通信する、入力（ＩＮ）を有する。入力（ＩＮ）は、信号受信回路／論理９４と通信する。信号受信回路／論理９４は、従来技術で知られているような必要な”フロントエンド”処理だけでなく、テレビジョンチャネル、信号又は同様なものに同調するように動作する。テレビジョン信号受信機９２は、信号処理回路／論理９６も含む。テレビジョン信号処理回路／論理９６は、本発明の原理に従って、更に信号を処理するのに加えて、従来技術で既知の信号受信回路／論理９４により受信されたテレビジョン信号について信号処理を実行するように動作する。
【００２６】
本発明の特徴に従って、テレビジョン信号受信機９２は、サンドキャッスル信号を発生するように動作する、サンドキャッスル信号発生回路／論理９８を更に有する。サンドキャッスル信号発生器９８により発生されたサンドキャッスル信号が、信号処理回路／論理９６に供給されるようにするように動作する、制御回路／論理１００も設けられている。１つの形式では、制御回路／論理１００は、テレビジョン信号受信機９２が特定のテレビジョン受信機に関連する機能を実行しているときに、サンドキャッスル信号が信号処理回路／論理９６に供給されるように動作する。これは、信号処理回路／論理９６がテレビジョン信号の同期信号を処理している、時間期間又は区間でも発生する。
【００２７】
この信号処理回路／論理９６は、更に、テレビジョン信号の同期信号部分中にクランピングパルス／信号の電圧を抑圧する、減少する又は、低下させるのに、サンドキャッスル信号発生器９８により発生されたサンドキャッスル信号を使用するように動作する。この形式で、同期信号は、水平同期信号であるが、しかし、垂直同期信号でもよい。
【００２８】
テレビジョン信号受信機９２は、テレビジョン信号受信機９２の動作及び／又は制御についてのプログラム命令を格納するように動作する、メモリ１０２も含む。他の回路１０４も、テレビジョン信号受信機９２の他の特徴、特徴及び／又は機能のために設けられている。
【００２９】
図５を参照すると、サンドキャッスル発生器９８の更に詳細なブロック図が示されている。サンドキャッスル発生器９８は、減衰された偏向帰線パルス又は信号を供給するように動作する、減衰された偏向帰線パルス回路／論理１１０を有する。これは、水平フライバック信号、垂直偏向帰線信号、又は、水平フライバック信号と垂直偏向帰線信号の組合せでもよい。サンドキャッスル発生器９８は、入力テレビジョン信号から同期パルスを分離するように動作する、同期パルス分離回路／論理１１２を更に有する。
【００３０】
減衰された偏向帰線パルスと、分離された同期パルスは、図９のサンドキャッスル信号１５２のようなサンドキャッスル信号を得るために、２つの信号を処理する、信号処理回路／論理に入力される。制御回路／論理１００は、発生されたサンドキャッスル信号の使用及び／又は応用のために、制御信号を信号処理回路／論理９６に供給するように動作する。
【００３１】
図６を参照すると、一般的には、１２０により指定される、サンドキャッスル信号発生器の例示的な実施例が示されている。サンドキャッスル発生器１２０は、垂直帰線信号を受信する、クリッパーシェーパー回路／論理１２２を有する。クリッパーシェーパー回路／論理１２２の出力は、加算器１２６（加算回路／論理）を介して、水平フライバック信号と加算される。代わりに、垂直帰線信号又は水平フライバック信号のいずれかは、他との加算なしで使用されてもよい。入力コンポジットビデオ及び同期信号は、同期分離回路／論理１２４に入力され、分離された同期信号が得られる。分離された同期信号又は、その一部は、サンドキャッスル信号１５２（図９）を得るために、加算器１２６からの加算された信号から減算される。
【００３２】
図７を参照すると、本発明の他の特徴に従った、サンドキャッスル信号発生器の他の実施例が示されている。例えば、図６の実施例でするように、サンドキャッスル信号内に垂直ブランキング信号を含める必要はない。この場合には、一般的には、１３０により指示される、サンドキャッスル発生器が使用されうる。コンポジットビデオと同期信号は、分離された同期信号を得るために、同期分離器１３２に供給される。分離された同期信号又はその一部は、出力として、サンドキャッスル信号を得るために、減算器又は減算回路／論理１３４内で、水平フライバック信号から減算される。全ての場合として、サンドキャッスル信号はそして、テレビジョン信号受信機により使用される。
【００３３】
従来のサンドキャッスル信号が使用される場合が時々あるが、しかし、例えば、チャネル変更（テレビジョン信号受信機に関連する機能）中のような、テレビジョン受信機動作（機能）の幾つかの場合中には、利用できない。そして、これらの場合にも、典型的なサンドキャッスル信号に加えて、適切な時点でそれらの間を切りかえる制御回路を使用して、現在発生されるサンドキャッスル信号を使用するのが望ましい。
【００３４】
図８を参照すると、本発明の特定の実行の、一般的には１０４で指定された部分的な回路図が示されている。一般的なテレビジョン信号プロセッサである、集積回路（ＩＣ）１４２が、設けられている。ＩＣ４１２は、ブラックストレッチ／クランプキー入力、ピン２４
【外１】
2004502351.tif 000003
への入力として、ＩＣ１４４から減衰された偏向（フライバック）信号を受信する。ＩＣ１４２の同期分離器からの、同期分離出力、ＩＣ１４２のピン１８、は、更に、ブラックストレッチ／クランプキー入力、ピン２４に、抵抗ＲＮＥＷを介して接続されている。これは、抑圧されたクランピングパルスを含む単純化されたサンドキャッスル信号を発生するために、本発明の原理に従って、サンドキャッスル信号を供給する（図１１参照）。
【００３５】
図９を参照すると、図８の集積回路１４２について、一般的には１６０で指示される、結合回路／論理が示されている。特に、発生器／ソース１６２は、偏向帰線信号を供給する。分離された同期信号は、トランジスタ１６４に供給される。偏向帰線信号と分離された同期信号は、トランジスタ１６６とＲＮＥＷ（即ち、抵抗１６８）のノード／接続で、結合されている。結果の結合された信号は、現在のサンドキャッスル信号である。
【００３６】
図１０では、偏向帰線信号からの分離された同期信号の一部の減算は、一般的には、１８０で指示された、回路／論理で達成されることが可能である。偏向帰線信号は、発生器／ソース１８２により供給され、その出力は、比較器１８４の＋”入力に供給される。分離された同期信号は、抵抗１８６を通った後に、比較器の”−”入力に供給される。比較器１８４の出力も、比較器１８４の”−”入力に供給される（帰還）。そして、比較器１８４の出力は現在のサンドキャッスル信号を供給する。
【００３７】
図１１には、一般的には１５０で指示された、サンドキャッスル信号１５２（結合されたクランピング及びブラックストレッチディスエーブル信号）波形のグラフが示されている。サンドキャッスル信号１５２は、波形内に、ノッチ１５４（低電圧区間）を有する。また、ビデオ信号１５６波形が、サンドキャッスル信号１５２とのタイミング関係で示されている。この特定のサンドキャッスル信号１５２について、ノッチ１５４が、サンドキャッスル信号１５２を約１．８ボルトに低下させる。これは、ブラックストレッチが正しく機能するような、ブラックストレッチ検出器無効の、十分に上である。チャネル変更（テレビジョン信号受信機に関連する機能）中に、ノッチ１５４について、最大電圧は、約２．２ボルトである。これは、そのしきい値が、約３．４ボルトである、クランプをオフに保つ。
【００３８】
図１２を参照すると、一般的には１７０で指示される、本発明の動作の例示的な方法の、フローチャートが示されている。ステップ１７２では、アナログテレビジョン信号は、テレビジョン信号プロセッサ／受信機により受信される。テレビジョン信号受信機は、アナログテレビジョン信号を処理しそして、サンドキャッスル信号をステップ１７４で発生する。発生されたサンドキャッスル信号は、そして、ステップ１７６で、特に、テレビジョン信号受信機が、特定のテレビジョン信号受信機に関連する機能を実行する又は行っている時間期間又は区間中に、テレビジョン信号処理回路へ供給される。テレビジョン信号受信機に関連する機能は、チャネル変更又は同様なものである。
【００３９】
発生されたサンドキャッスル信号は、標準サンドキャッスル信号（図１参照）の代わりに使用されてもよく、又は、選択的に、標準サンドキャッスル信号の代わりに使用されてもよい。これは、テレビジョン信号受信機の特定の機能が、ここで供給されるような、修正されたサンドキャッスル信号を必要であるとするときに発生しうる。テレビジョン信号受信機は、他の目的のために、本サンドキャッスル信号を使用してもよい。本発明を、好ましい設計を有するとして説明したが、本発明は、この開示の意図及び範囲内で、更に修正されてもよい。この出願は、従って、一般的な原理を使用する本発明の適応のどのような変形、使用もカバーすると意図されている。更に、この出願は、本発明が属する技術の分野の既知の又は慣習的な慣行内であるとして、及び、添付の請求の範囲の限度内であるとして、本開示からの出発もカバーすると意図される。
【図面の簡単な説明】
【図１】互いの時間関係での、典型的な従来技術のサンドキャッスル信号と典型的な水平ビデオ信号のグラフィック表現を示す図である。
【図２】図１のサンドキャッスル信号を使用する従来技術の方法の、単純化されたブロック図を示す図である。
【図３】図１のサンドキャッスル信号を発生し且つ使用し、そして、ＲＧＢビデオ出力信号を得る、従来技術の方法を示す図である。
【図４】本発明が使用される、装置の単純化されたブロック図を示す図である。
【図５】図４の装置の一部の更に詳細なブロック図を示す図である。
【図６】本発明の原理に従った、サンドキャッスル発生器の実行のブロック図を示す図である。
【図７】本発明の原理に従った、サンドキャッスル発生器の他の実行のブロック図を示す図である。
【図８】本発明の特定の実行の回路図の一部を示す図である。
【図９】ここに提示された原理に従った、サンドキャッスル信号を発生する例示的な方法の単純化された回路図を示す図である。を示す図である。
【図１０】ここに提示された原理に従った、サンドキャッスル信号を発生する他の例示的な方法の単純化された回路図を示す図である。を示す図である。
【図１１】本発明の原理に従った、例示的な波形を示す図である。
【図１２】本発明の動作の例示的な方法のフローチャートを示す図である。
【図１】
2004502351.tif 000004
【図２】
2004502351.tif 000005
【図３】
2004502351.tif 000006
【図４】
2004502351.tif 000007
【図５】
2004502351.tif 000008
【図６】
2004502351.tif 000009
【図７】
2004502351.tif 000010
【図９】
2004502351.tif 000011
【図１０】
2004502351.tif 000012
【図１２】
2004502351.tif 000013
【国際公開パンフレット】
2004502351.tif 000014
2004502351.tif 000015
2004502351.tif 000016
2004502351.tif 000017
2004502351.tif 000018
2004502351.tif 000019
2004502351.tif 000020
2004502351.tif 000021
2004502351.tif 000022
2004502351.tif 000023
2004502351.tif 000024
2004502351.tif 000025
2004502351.tif 000026
2004502351.tif 000027
2004502351.tif 000028
2004502351.tif 000029
2004502351.tif 000030
2004502351.tif 000031
2004502351.tif 000032
2004502351.tif 000033
2004502351.tif 000034
2004502351.tif 000035
2004502351.tif 000036
2004502351.tif 000037
【国際公開パンフレット（コレクトバージョン）】
2004502351.tif 000038
2004502351.tif 000039
【国際調査報告】
2004502351.tif 000040
2004502351.tif 000041
2004502351.tif 000042